(57)【要約】【課題】  省スペース化を図ることができる複合機を提供すること。持ち運びに便利な複合機を提供すること。投影装置を備え、その投影装置の鉛直方向の位置を調節できる複合機を提供すること。【解決手段】  複合機１は、本体ケース２内に印刷部を備えている。また、複合機１は、本体ケース２に対して鉛直方向に相対移動する上カバー１５を備えている。上カバー１５には、スキャナ装置３０が備えられている。また、上カバー１５には、投影レンズ４１を備えた投影装置４０が備えられている。【選択図】      図３
2005331871.tif 000002
【特許請求の範囲】
【請求項１】
筐体内に印刷機構を備えた複合機において、
前記筐体に対して、鉛直方向に相対移動する可動部を備え、
前記可動部に、投影装置及び画像読取装置のうち少なくとも一つを備えたことを特徴とする複合機。
【請求項２】
請求項１に記載の複合機において、
前記可動部が前記筐体から離間するように相対移動した際に、前記可動部と前記筐体との間に、一方の側面が開口した収容空間を形成することを特徴とする複合機。
【請求項３】
請求項１又は２に記載の複合機において、
前記筐体は、その上面に排紙トレイを備え、
前記排紙トレイは、
前記可動部が前記筐体から離間した際に、前記印刷機構から搬送された紙を収容し、
前記可動部が前記筐体に当接する位置に移動した際に、前記可動部の本体を収納することを特徴とする複合機。
【請求項４】
請求項１〜３のいずれか１つに記載の複合機において、
前記筐体の側面には、前記印刷機構から搬送された紙を排紙する排紙トレイが設けられていることを特徴とする複合機。
【請求項５】
請求項１〜４のいずれか１つに記載の複合機において、
前記筐体には、同複合機を移動させるキャスターが備えられていることを特徴とする複合機。
【請求項６】
請求項１〜５のいずれか１つに記載の複合機において、
外部記憶媒体にデータを記録する情報記録装置、又は外部記憶媒体が格納しているデータを読み取る情報読取装置をさらに備えたことを特徴とする複合機。
【請求項７】
請求項１〜６のいずれか１つに記載の複合機において、
前記筐体に、持ち運びの際に把持するためのハンドルを設けたことを特徴とする複合機。
【発明の詳細な説明】
【技術分野】
【０００１】
本発明は、複合機に関する。
【背景技術】
【０００２】
従来から、スキャナ機能、印刷機能等を備えた複合機が提案されている（例えば、特許文献１参照。）。この複合機は、通常、一つの筐体に固定された、画像読取機構、印刷機構等を備えている。
【特許文献１】特開平９−１１４９６３号公報
【発明の開示】
【発明が解決しようとする課題】
【０００３】
ところが、この複合機は、机の上に載置したり、所定の場所に置くことを想定して製作されている。このため、例えば、会議室等の限られた空間内での省スペース化、持ち運びの利便性、画像読取機構等の各装置の位置の調節機能等は図られていなかった。
【０００４】
本発明は、上記問題点に鑑みてなされたものであり、その目的は、会議室等において省スペース化を図ることができる複合機を提供することにある。
本発明の別の目的は、持ち運びに便利な複合機を提供することにある。
【０００５】
本発明の別の目的は、投影装置を備え、その投影装置の鉛直方向の位置を調節できる複合機を提供することにある。
【課題を解決するための手段】
【０００６】
本発明は、筐体内に印刷機構を備えた複合機において、前記筐体に対して、鉛直方向に相対移動する可動部を備え、前記可動部に、投影装置及び画像読取装置のうち少なくとも一つを備えた。
【０００７】
これによれば、複合機は筐体を備え、この筐体内に印刷機構を備える。また、複合機は、筐体に対して鉛直方向に相対移動する可動部をさらに備えている。そして、この可動部には、投影装置又は画像読取装置が備えられている。つまり、可動部に投影装置が備えられている場合には、可動部を鉛直方向に移動させることにより、画像の投影位置を調整することができる。また、可動部に画像読取装置が備えられている場合には、画像読取装置の位置を変更できるため、ユーザの操作性を向上し、使い易くすることができる。
【０００８】
この複合機において、前記可動部が前記筐体から離間するように相対移動した際に、前記可動部と前記筐体との間に、一方の側面が開口した収容空間を形成する。
これによれば、可動部が筐体から離間するように相対移動した際に、筐体との間に一方の側面が開口した収容空間が形成される。このため、例えば、テーブルが備えられた会議室等に複合機が持ち込まれた際に、その収容空間に、脚部を有するテーブルの台を挿入し、台の下に筐体を、台の上に可動部を配置することができる。このため、会議室等に複合機が持ち込まれた場合でも、複合機がテーブルの台上等でスペースを占有しないので、省スペース化を図ることができる。
【０００９】
この複合機において、前記筐体は、その上面に排紙トレイを備え、前記排紙トレイは、前記可動部が前記筐体から離間した際に、前記印刷機構から搬送された紙を収容し、前記可動部が前記筐体に当接する位置に移動した際に、前記可動部の本体を収納する。
【００１０】
これによれば、筐体には、可動部を収納する機能を兼ねる排紙トレイが形成されている。このため、排紙トレイを使用しない場合には、可動部を収納することで、複合機をコンパクトにすることができる。
【００１１】
この複合機において、前記筐体の側面には、前記印刷機構から搬送された紙を排紙する排紙トレイが設けられている。
これによれば、筐体の側面には、排紙トレイが設けられている。このため、例えば、筐体の上面に設けられた排紙トレイが可動部を収納して、使用不可能となっている場合には、筐体の側面に設けられた排紙トレイを使用することができる。
【００１２】
この複合機において、前記筐体には、同複合機を移動させるキャスターが備えられている。
これによれば、筐体には、キャスターが備えられている。このため、持ち運びに便利な複合機を提供することができる。
【００１３】
この複合機において、外部記憶媒体にデータを記録する情報記録装置、又は外部記憶媒体が格納しているデータを読み取る情報読取装置をさらに備えた。
これによれば、複合機には、情報記録装置又は情報読取装置が備えられているので、外部記憶媒体から読み取ったデータを、印刷機構により印刷、又は投影装置によりスクリーン等に投影できる。また、画像読取装置が画像を走査して作成したデータを、情報記録装置によって外部記憶媒体に書き込むことができる。
【００１４】
この複合機において、前記筐体に、持ち運びの際に把持するためのハンドルを設けた。
これによれば、複合機は、筐体に、持ち運びの際に把持するハンドルを備えているので、持ち運ぶ際に便利である。
【発明を実施するための最良の形態】
【００１５】
以下、本発明を具体化した一実施形態を図１〜図７に従って説明する。図１は、複合機１の斜視図、図２は複合機１の背面図である。図１に示すように、複合機１は、略直方体形状に形成された、筐体としての本体ケース２を備えている。本体ケース２には、右側面２ｂ及び左側面２ｃの背面２ｄ側下部に、各キャスター３がそれぞれ回動可能に軸支されている。
【００１６】
また、複合機１の底面には、エラストマ等からなる半球状の支持部４が取着されている。具体的には、支持部４は、本体ケース２の前面２ａ側の略中央に配設されている。この支持部４及び左右一対のキャスター３により支持されると、本体ケース２は水平状態に直立するようになっている。
【００１７】
また、本体ケース２内には、給紙トレイ５が設けられている。図２に示すように、給紙トレイ５は、本体ケース２の背面２ｄから引き出し可能に構成され、内部に図示しない記録用紙を収容している。本体ケース２内に備えられた図示しない給紙機構によって、給紙トレイ５から搬送された記録用紙は、同じく本体ケース２内に設けられた、印刷機構としての印刷部６に搬送される。
【００１８】
印刷部６は、本実施形態では、インクジェット式の印刷機構を備えている。この印刷機構は、図示しないキャリッジ、キャリッジに搭載された記録ヘッド、記録ヘッドにインクを供給するインクタンク等を備え、記録ヘッドから記録用紙にインクを吐出することで印刷を行うようになっている。そして、印刷部６によって印刷された紙は、図示しない排紙機構によって、第１排紙トレイ７又は第２排紙トレイ８（図３参照）へ搬送される。
【００１９】
まず、第１排紙トレイ７について説明する。第１排紙トレイ７は、本体ケース２に設けられた第１排紙口９を備えている。図１に示すように、第１排紙口９は、本体ケース２の前面２ａにて開口している。
【００２０】
下カバー１０は、板状に形成され、略Ｌ字状に屈曲形成されている。また、図１に示すように、下カバー１０は、本体ケース２の前面２ａの約下半分から、本体ケース２の底面２ｆを覆うように、本体ケース２に対して固定されている。この下カバー１０の前面１０ａには、扉１１が軸支されている。扉１１は、下カバー１０の折曲部１０ｃにおいて、図示しない軸支部によって回動可能に軸支され、図１に示す開位置と、閉位置（図３参照）との間で回動するようになっている。
【００２１】
従って、図１に示すように、扉１１を開位置まで回動させると、第１排紙口９が開口状態になり、印刷部６から第１排紙トレイ７へ搬送された印刷済みの記録用紙は、第１排紙口９を介して、扉１１と本体ケース２との間に落ちるようになっている。
【００２２】
また、図１に示すように、第１排紙口９の右側には、光学センサからなる第１センサＳ１が設けられている。第１センサＳ１は、扉１１が閉位置に配置された際に、扉１１の右上隅部に相対向する位置に設けられており、扉１１が閉位置にあることを検出するようになっている。
【００２３】
次に、第２排紙トレイ８について、図３〜図５に従って説明する。図３は、複合機１の斜視図、図４は複合機１の側面図、図５は複合機１の背面図である。
第２排紙トレイ８は、図３の実線及び鎖線に示すように本体ケース２の上面２ｅに凹設されている。第２排紙トレイ８は、図３及び図４の鎖線に示すように、本体ケース２の背面２ｄから前面２ａに向かって下るような傾斜面１４を備えている。また、第２排紙トレイ８は、前面２ａ側に段差面１２を備えている。この第２排紙トレイ８は、本体ケース２の前面２ａ及び背面２ｄにおいて開口している。
【００２４】
図５に示すように、段差面１２には、第２排紙口１３が貫通形成されている。つまり、印刷部６から第２排紙トレイ８へ搬送された印刷済みの記録用紙は、第２排紙口１３を介して第２排紙トレイ８に排紙されるようになっている。
【００２５】
この第２排紙トレイ８が使用されないときは、第２排紙トレイ８には、可動部としての上カバー１５が収容される。この上カバー１５は、板状に形成され、略Ｌ字状に屈曲している。上カバー１５の底面１５ｆには、箱体状の収容部３３が備えられている。この上カバー１５は、図１及び図２に示すように、本体ケース２の前面２ａの約上半分と、本体ケース２の上面２ｅを覆うように、本体ケース２に配設されている。
【００２６】
この上カバー１５において、本体ケース２の前面２ａを覆う鉛直部１６には、図３中鎖線で示すように、一対の長孔１７が鉛直方向に沿って貫通形成されている。この長孔１７は、上カバー１５の下端部１５ｇのみにおいて開口している。また、長孔１７の各開口には、一対の支持軸２０が差し込まれている。これらの支持軸２０は、中空状に形成され、一端が長孔１７内に嵌挿され、他端が下カバー１０に固定されている。その結果、上カバー１５は、上カバー１５が本体ケース２と当接する位置（下端位置）と、本体ケース２から離間した位置との間で、各支持軸２０に沿って鉛直方向に上下動可能になっている。支持軸２０は、可動部を相対移動させる移動機構を構成する。
【００２７】
また、上カバー１５の右側面１５ｂ及び左側面１５ｃの下端には、各長孔１７の軸線方向と略垂直方向に係止孔２１が貫通形成されている。これらの係止孔２１は、ネジＮを螺合可能に形成されている。上カバー１５が、各支持軸２０に沿って鉛直方向にスライド移
動し、本体ケース２の上面２ｅから離間した状態で、ネジＮを係止孔２１に螺合させると、上カバー１５はその位置に配置される。つまり第２排紙トレイ８を使用する場合には、上カバー１５を本体ケース２から離間した位置で固定する。そして、第２排紙トレイ８を使用しない場合等には、上カバー１５を前記下端位置まで下げるようになっている。このとき、上カバー１５の収容部３３は、上カバー１５が下端位置までスライド移動されると、図４の２点鎖線に示すように、本体ケース２の上面２ｅに凹設された第１排紙トレイ７に収容されるようになっている。
【００２８】
また、上カバー１５を本体ケース２から離間した位置で固定した場合、上カバー１５と本体ケース２との間には、本体ケース２の背面２ｄ側で開口する収容空間が設けられる。このため、この収容空間に、図４の２点鎖線に示すように、テーブルＴの載置台Ｔａを差し込むことができる。この場合、本体ケース２が載置台Ｔａの下に収納されるので、会議室内で複合機１がスペースを占有しないようにすることができる。
【００２９】
さらに、図３に示すように、本体ケース２の上面２ｅには、第２センサＳ２が設けられている。具体的には、第２センサＳ２は、上カバー１５が上面２ｅに当接した際に、上カバー１５の底面１５ｆによって閉塞される位置に配設されている。第２センサＳ２は、光学センサであって、検知した光の強度により、上カバー１５が前記下端位置にあることを検知するようになっている。
【００３０】
また、図２及び図５に示すように、本体ケース２の背面２ｄには、略Ｌ字状の溝部２ｇが凹設されている。この溝部２ｇは、まず、背面２ｄの上側から鉛直方向下側に向かって延び、背面２ｄの略中央において左側面２ｃ側に屈曲している。この溝部２ｇには、ハンドル２２が嵌着されている。
【００３１】
ハンドル２２は、鉛直部２２ａと、水平部２２ｂとから形成されている。また、ハンドル２２は、溝部２ｇの上端において回動可能に軸支され、図２中実線に示す収容位置から、紙面手前側に向かって回動し、図２中２点鎖線に示す把持位置まで移動するようになっている。また、上カバー１５には、把持位置にあるハンドル２２に対応する位置に、溝状の凹部１５ｈが形成されている。この凹部１５ｈにハンドル２２の鉛直部２２ａが係合するように移動させると、ハンドル２２は上カバー１５の上面１５ｅに対して鉛直に配置されるようになっている。
【００３２】
次に、複合機１に設けられた、画像読取装置としてのスキャナ装置３０について説明する。スキャナ装置３０は上カバー１５に設けられている。図１に示すように、スキャナ装置３０は、ガラス板から形成されたプラテン３１を備えている。プラテン３１は、上カバー１５の上面１５ｅに、収容部３３の開口を閉塞するように設けられている。このプラテン３１は、同じく上カバー１５に対して回動可能に取着された上蓋３２によって閉塞可能になっている。また、スキャナ装置３０を構成するスキャナ本体は、収容部３３に収容されている。スキャナ本体は、ランプ、ミラー、ＣＣＤ、及びキャリッジ等を備えている。
【００３３】
次に、複合機１に設けられた投影装置４０について説明する。投影装置４０を構成する、ランプ、液晶パネル等からなる光学機構は、上カバー１５の収容部３３に収容されている。また、図１に示すように、上カバー１５には、投影装置４０を構成する投影レンズ４１が配設されている。光学機構から出力された光は、投影レンズ４１を介して、図示しないスクリーン等の投影面に投射される。このとき、上カバー１５を鉛直方向に沿ってスライド移動させると、投影位置を調節可能になっている。
【００３４】
さらに、図２に示すように、複合機１は、本体ケース２の背面２ｄに、情報記録装置及び情報読取装置としてのディスクドライブ装置４５を備えている。ディスクドライブ装置
４５には、磁気ディスク、光ディスク等の外部記憶媒体を差込可能である各種スロットが設けられている。このディスクドライブ装置４５は、各スロットに挿入されたディスクに対し、画像データ等を読取り及び書込み可能な装置である。
【００３５】
次に、複合機１の電気的構成について図６に従って説明する。制御部５０は、本体ケース２内に設けられ、ディスクドライブ装置４５を介して入力された画像データ、スキャナ装置３０が走査して作成した画像データに基づいて、印刷データを作成する。また、制御部５０は、前記画像データを、投影装置４０に送信する。また、制御部５０は、記憶部５１に格納されたプログラムに従って各駆動回路とデータを送受信する。
【００３６】
ディスプレイ５２は、図１に示すように、上カバー１５の上面１５ｅに設けられ、各種項目等を表示するタッチパネル式の液晶ディスプレイである。このディスプレイ５２に表示された画面に従って、ユーザが操作することにより、制御部５０に各種命令が送信され、印刷部６、スキャナ装置３０、投影装置４０等を駆動できるようになっている。また、ディスプレイ５２には、制御部５０の送信する信号に従って、インクエンド、紙詰まり等のエラーメッセージ等を表示することができる。このディスプレイ５２は、長孔１７及び支持軸２０内を介し、下カバー１０から本体ケース２内に挿通された図示しないケーブルを介して本体ケース２内の制御部５０と接続されている。
【００３７】
スキャナ本体駆動回路５４は、制御部５０から送信された信号に従って、スキャナ装置３０のスキャナ本体を駆動する。スキャナ本体駆動回路５４は、本体ケース２内に設けられ、支持軸２０内に挿通された図示しないケーブルを介して、収容部３３内のスキャナ本体と接続されている。スキャナ本体は、プラテン３１に配置された印刷物等を走査し、スキャナ本体駆動回路５４は、スキャナ本体の走査データに基づいて画像データを作成する。
【００３８】
光学機構駆動回路５３は、制御部５０から送信された信号及び画像データに従って、投影装置４０の光学機構を駆動する。尚、光学機構駆動回路５３は、本体ケース２内に設けられ、図示しないケーブルを介して、上カバー１５の収容部３３内の光学機構と接続されている。
【００３９】
印刷部駆動回路５５は、制御部５０から送信された信号及び印刷データに従って、印刷部６を駆動する。その結果、前記記録ヘッドは、給紙トレイ５から搬送された紙に対して相対移動しながら、記録用紙に向かってインク滴を吐出して印刷を行う。そして、印刷部駆動回路５５は、印刷が行われた記録用紙を、制御部５０から送信された信号に従って、第１又は第２排紙トレイ７，８に搬送する。
【００４０】
第１センサ駆動回路５６は、第１センサＳ１を駆動し、第１センサＳ１によって検出した光の強度を電気的信号に変換して、制御部５０に送信する。また、第２センサ駆動回路５７は、第２センサＳ２を駆動する。
【００４１】
次に、複合機１の作用について説明する。まず、複合機１を、会議室等に移動させる場合には、図２の２点鎖線に示すように、ハンドル２２を回動し、上カバー１５の凹部１５ｈに係合させて前記把持位置に配置する。そして、ユーザは、ハンドル２２を把持し、図７に示すように本体ケース２を背面２ｄ側に傾けて、支持部４を床から離間させる。そして、一対のキャスター３を回転させて、背面２ｄ方向に向かって目的の場所まで移動させる。
【００４２】
次に、会議室等の中で、複合機１を目的に応じた位置に配置する。つまり、複合機１の投影装置４０を使用する場合等には、複合機１と投影面との相対距離を調節する。このと
き、図４に示すように、テーブルＴの載置台Ｔａの下に本体ケース２を配置し、上カバー１５の収容部３３を載置台Ｔａの上に配置させることができる。このとき、ハンドル２２は、本体ケース２の背面２ｄに設けられた溝部２ｇに収容する。
【００４３】
次に、ユーザは、上カバー１５の上面１５ｅに設けられたスイッチＳＷ１を押下して、複合機１の主電源をＯＮ状態にする。さらに、ユーザは、ディスクドライブ装置４５又はスキャナ装置３０を使用して、複合機１に画像データを入力する。
【００４４】
ディスクドライブ装置４５を使用して画像データを入力する場合には、ディスクドライブ装置４５の各スロットに、ディスクを挿入する。そして、ユーザは、ディスプレイ５２に表示された画面に従って、ディスクドライブ装置４５に挿入されたディスクから画像データを読み取るための操作を行う。この操作が行われると、制御部５０が、ディスクドライブ装置４５に読取命令を送信し、ディスクドライブ装置４５はディスクに格納されたデータを読み取って、制御部５０に送信する。制御部５０は、ディスクドライブ装置４５からデータを受信すると、記憶部５１に一時保存する。
【００４５】
スキャナ装置３０を使用して画像データを入力する場合には、ユーザは、上カバー１５の上蓋３２を回動して、プラテン３１に紙等を載置する。そして、ユーザは、ディスプレイ５２に表示された画面に従って、プラテン３１に載置された紙等を走査させるための操作を行う。この操作が行われると、制御部５０は、スキャナ本体駆動回路５４に信号を送信し、スキャナ装置３０を駆動させる。
【００４６】
スキャナ装置３０は、プラテン３１に載置された紙等を走査し、画像データを作成する。スキャナ本体駆動回路５４は、作成した画像データを、制御部５０に送信し、制御部５０は記憶部５１に画像データを一時格納する。
【００４７】
スキャナ装置３０から画像データが入力されたとき、ユーザによりディスプレイ５２の画面に従って画像データの書込操作が行われると、制御部５０は、ディスクドライブ装置４５を駆動して、スロットに挿入されたディスクに、記憶部５１に格納されたデータを書き込む。
【００４８】
次に、記憶部５１に一時格納された画像データを、印刷部６又は投影装置４０を使用して出力する場合について説明する。ユーザは、ディスクドライブ装置４５又はスキャナ装置３０によって画像データを複合機１に入力すると、ディスプレイ５２に表示された画面に従って、印刷部６又は投影装置４０を駆動開始させるための操作を行う。
【００４９】
印刷を行うための操作が行われた場合、制御部５０は、記憶部５１に格納された画像データに基づいて、印刷データを作成する。そして、制御部５０は、印刷部駆動回路５５を駆動して、作成した印刷データに基づいて印刷部６に印刷を実行させる。詳述すると、給紙トレイ５に収容された紙が、給紙機構により印刷部６内に搬送され、前記記録ヘッドは、前記キャリッジにより搬送された紙に対して相対移動しながらインクが吐出して印刷を行う。
【００５０】
印刷前又は印刷中に、制御部５０は、第１及び第２センサ駆動回路５６，５７に信号を送信して、第１及び第２センサＳ１，Ｓ２を駆動する。第２センサ駆動回路５７は、第２センサＳ２により検出された光の強度によって、上カバー１５が本体ケース２と当接する下端位置にあるか、本体ケース２から離間している位置に配置されているかを検出する。そして、第２センサ駆動回路５７は、上カバー１５が下端位置にある場合、即ち、上カバー１５が第２排紙トレイ８を閉塞している場合には、制御部５０に信号を送信する。また、第１センサ駆動回路５６は、第１センサＳ１により検出された光の強度によって、扉１
１が閉位置にあるか開位置にあるかを検出する。そして、第１センサ駆動回路５６は、扉１１が閉位置にあると検出した場合には、制御部５０に信号を送信する。
【００５１】
制御部５０は、第１及び第２センサ駆動回路５６，５７から信号を受信したか否かを判断する。そして、第２センサ駆動回路５７から信号を受信していない場合、即ち上カバー１５が本体ケース２から離間した位置にあるときには、印刷された紙を第２排紙トレイ８に排紙させるための信号を、印刷部駆動回路５５に送信する。つまり、第２排紙トレイ８から、排紙可能である場合には、第２排紙トレイ８を優先して使用する。
【００５２】
また、制御部５０は、第２センサ駆動回路５７から信号を受信し、第１センサ駆動回路５６から信号を受信していない場合、即ち第２排紙トレイ８が上カバー１５によって閉塞され、第１排紙トレイ７の扉１１が開位置にあるときには、第１排紙トレイ７から印刷済みの紙を排紙する。さらに、制御部５０が、第１及び第２センサ駆動回路５６，５７から信号を受信していない場合には、制御部５０はディスプレイ５２にエラー表示出力データを送信し、エラー状態を通知する。
【００５３】
一方、ディスプレイ５２において投影装置４０を駆動させる操作が行われると、制御部５０が光学機構駆動回路５３を駆動し、投影装置４０がＯＮ状態になる。そして、制御部５０は光学機構駆動回路５３に記憶部５１に格納した画像データを送信する。光学機構駆動回路５３は、制御部５０から画像データを受信すると、受信したデータに基づいた投影光を、投影レンズ４１からスクリーン等に向かって前方に投射する。
【００５４】
また、ユーザが、投影面に投影中の画像を印刷する場合には、ディスプレイ５２において、投影中の画像を印刷するための操作を行う。この操作が行われると、ディスプレイ５２から、制御部５０に投影中の画像データの印刷を行う旨の信号を送信する。制御部５０は、この信号を受信すると、記憶部５１に一時格納したデータに基づいて印刷データを作成し、この印刷データを印刷部駆動回路５５に送信する。そして、以下、前記したように印刷が行われる。
【００５５】
そして、印刷動作、投影動作等が終了すると、ユーザは、スイッチＳＷ１を押下して主電源を切り、上カバー１５を下端位置まで下降させ、本体ケース２の背面２ｄに収容されたハンドル２２を回動させて把持位置に配置する。そして、ユーザは、ハンドル２２を把持し、本体ケース２を傾けた姿勢でキャスター３を回転させて、複合機１を移動する。
【００５６】
上記実施形態によれば、以下のような効果を得ることができる。
（１）上記実施形態では、複合機１の本体ケース２に対して、鉛直方向に相対移動する上カバー１５を備えた。また、本体ケース２内に印刷部６を、上カバー１５にスキャナ装置３０及び投影装置４０を備えた。従って、上カバー１５の位置を調整することにより、投影装置４０の投影位置を調整することができる。また、複合機１を床に置いても、上カバー１５の位置を上方に配置させることにより、スキャナ装置３０を使い易くすることができる。従って、ユーザの操作性を向上させることができる。
【００５７】
（２）上記実施形態では、上カバー１５を本体ケース２に対して離間するように相対移動させた際に、上カバー１５と本体ケース２との間に、本体ケース２の背面２ｄ側で開口する収容空間が形成されるようにした。このため、例えば、テーブルＴが備えられた会議室等に複合機１が持ち込まれた際に、その収容空間に、テーブルＴの載置台Ｔａを挿入し、載置台Ｔａの下に本体ケース２を、載置台Ｔａの上に上カバー１５を配置することができる。このため、会議室等に複合機１が持ち込まれた場合でも、複合機１がテーブルＴの台上等でスペースを占有しないので、省スペース化を図ることができる。
【００５８】
（３）上記実施形態では、本体ケース２の上面２ｅに第２排紙トレイ８を形成した。そして、第２排紙トレイ８は、上カバー１５が本体ケース２から離間した際に、印刷部６から搬送された紙を収容する排紙トレイとして機能し、上カバー１５が下端位置まで移動した際に、上カバー１５の収容部３３を収容するようにした。このため、第２排紙トレイ８を使用しない場合には、収容部３３を収容することで、複合機１をコンパクトにすることができる。
【００５９】
（４）上記実施形態では、本体ケース２の前面２ａ側に、下カバー１０に配設された扉１１を備えた第１排紙トレイ７を設けた。このため、第２排紙トレイ８が、下端位置に配置され、使用できないときには、第１排紙トレイ７から排紙することができる。
【００６０】
（５）上記実施形態では、本体ケース２に一対のキャスター３を備えるようにした。このため、持ち運びに便利な複合機１を提供することができる。
（６）上記実施形態では、複合機１に、ディスクドライブ装置４５を備えた。このため、ディスクから読み取ったデータを、印刷部６により印刷、又は投影装置４０によりスクリーン等に投影できる。また、スキャナ装置３０が印刷物等を走査して作成した画像データを、ディスクに書き込むことができる。
【００６１】
（７）上記実施形態では、複合機１の本体ケース２にハンドル２２を設けた。このため、このハンドル２２を把持して複合機１を運ぶことができるので、持ち運びに便利である。また、このハンドル２２が使用されない際には、本体ケース２の背面２ｄに収容可能に設けたので、複合機１をコンパクトにすることができる。
【００６２】
尚、上記実施形態は以下のように変更してもよい。
・上記実施形態では、印刷部６は、レーザプリンタ、感熱式のプリンタから構成してもよい。
【００６３】
・上記実施形態では、第１センサＳ１及び第２センサＳ２を省略してもよい。
・上記実施形態では、光学機構駆動回路５３及びスキャナ本体駆動回路５４を上カバー１５の収容部３３内に設け、制御部５０との間で、ケーブルを介さずに、無線通信によってデータを送受信するようにしてもよい。
【００６４】
・上記実施形態では、上カバー１５を上下動可能に移動させる移動機構は、上カバー１５の長孔１７に支持軸２０を挿通する構成としたが、これ以外の構成でもよい。例えば、蛇腹、圧縮バネ等の付勢手段により、上カバー１５を本体ケース２から離間する位置に付勢し、上カバー１５を下端位置に配置する際には、上カバー１５を本体ケース２に連結手段により連結する構成でもよい。
【００６５】
・上記実施形態では、第２排紙トレイ８を優先して使用しないように制御してもよい。つまり、例えば、排紙する記録用紙の種類に応じて、第１及び第２排紙トレイ７，８を使い分けても良い。また、排紙する際に、ユーザのスイッチ又はディスプレイ等の操作により、排紙トレイを指定できるようにしても良い。また、第１及び第２排紙トレイ７，８のいずれかを省略するようにしても良い。
【図面の簡単な説明】
【００６６】
【図１】本発明の複合機の斜視図。
【図２】同複合機の背面図。
【図３】同複合機の斜視図。
【図４】同複合機の側面図。
【図５】同複合機の背面図。
【図６】同複合機の電気的構成を説明する説明図。
【図７】同複合機の作用を説明する側面図。
【符号の説明】
【００６７】
１…複合機、２…筐体としての本体ケース、３…キャスター、６…印刷機構としての印刷部、７…第１排紙トレイ、８…第２排紙トレイ、１５…可動部及び本体としての上カバー、２０…移動機構を構成する支持軸、３０…画像読取装置としてのスキャナ装置、４０…投影装置、４５…情報記録装置及び情報読取装置としてのディスクドライブ装置。
【図１】
2005331871.tif 000003
【図２】
2005331871.tif 000004
【図３】
2005331871.tif 000005
【図４】
2005331871.tif 000006
【図５】
2005331871.tif 000007
【図６】
2005331871.tif 000008
【図７】
2005331871.tif 000009